(57)【要約】【課題】石膏ボード同士を縁部において精度高く連結できるとともに、長年にわたって相互の変形や変位を防止できる石膏ボード接続用金具及び接続構造を提供する。【解決手段】第１の石膏ボード１０と第２の石膏ボード１１とを互いに接続する石膏ボード接続用金具１であって、少なくとも一方の石膏ボードの裏面側に添着される裏面添着部２と、上記裏面添着部の縁部から曲折して、上記石膏ボードの小口面に沿って上記小口面の厚み方向中間部まで延出する小口面添着部３と、上記小口面添着部の縁部から曲折して、少なくとも一方の小口面に突き入るように延出する釘部４、５とを備えて構成される。【選択図】図５
2017110792.tif 000002
【特許請求の範囲】
【請求項１】
第１の石膏ボードと第２の石膏ボードとを互いに接続する石膏ボード接続用金具であって、
少なくとも一方の石膏ボードの裏面側に添着される裏面添着部と、
上記裏面添着部の縁部から曲折して、上記石膏ボードの小口面に沿って上記小口面の厚み方向中間部まで延出する小口面添着部と、
上記小口面添着部の縁部から曲折して、少なくとも一方の小口面に突き入るように延出する釘部とを備える、石膏ボード接続用金具。
【請求項２】
壁部を構成する第１の石膏ボードと、天井部を構成する第２の石膏ボードとを互いに接続する石膏ボード接続用金具であって、
上記第１の石膏ボードの裏面側に添着される裏面添着部と、
上記裏面添着部の上縁部から曲折して上記第１の石膏ボードの小口面に沿って上記小口面の厚み方向中間部まで延出する小口面添着部と、
上記小口面添着部の縁部から曲折して上記小口面に突き入るように延出する釘部と、
上記小口面添着部の縁部からさらに上記小口面に沿って延出し、上記第２の石膏ボードの表面に沿って露出する連結部とを備え、
上記連結部の先端部に連結ネジが通挿されるネジ用開口部を設けた、請求項１に記載の石膏ボード接続用金具。
【請求項３】
上記連結部は、上記連結ネジの頭部で締め付けることにより、上記第２の石膏ボードの表面近傍に埋め込み変形できるように構成されている、請求項２に記載の石膏ボード接続用金具。
【請求項４】
上記連結部の先端部が、上記連結ネジの頭部の最大外径とほぼ同じ外径を有する円弧状に形成されている、請求項２又は請求項３に記載の石膏ボード接続用金具。
【請求項５】
上記小口面添着部が、上記裏面添着部と同一の幅で形成されており、
上記連結部が、上記小口面添着部の中央部から延出形成されるとともに、
一対の上記釘部が、上記連結部の両側に所定間隔を開けて延出形成されている、請求項２から請求項４のいずれか１項に記載の石膏ボード接続用金具。
【請求項６】
上記第１の石膏ボードと、上記第１の石膏ボードに隣接して設置される上記第２の石膏ボードとを、小口面を対接させて接続する石膏ボード接続用金具であって、
上記第１の石膏ボードの裏面側に添着される第１の裏面添着部と、
上記第２の石膏ボードの裏面側に添着される第２の裏面添着部と、
上記第１の裏面添着部及び上記第２の裏面添着部を連結するとともに、これらの縁部から曲折して小口面に沿って上記小口面の厚み方向中間部まで延出する小口面添着部と、
上記小口面の厚み方向中間部において上記小口面添着部の縁から曲折して、上記第１の石膏ボードの小口面に突き入る第１の釘部と、
上記小口面の厚み方向中間部において上記小口面添着部の縁から曲折して、上記第２の石膏ボードの小口面に突き入る第２の釘部とを備える、請求項１に記載の石膏ボード接続用金具。
【請求項７】
上記各部が、板金を曲折して一体形成されている、請求項１から請求項６のいずれか１項に記載の石膏ボード接続用金具。
【請求項８】
第１の石膏ボードと第２の石膏ボードの縁部を、接続金具を用いて接続する石膏ボードの接続構造であって、
上記接続金具は、
少なくとも一方の石膏ボードの裏面側に添着される裏面添着部と、
上記裏面添着部の縁部から曲折して、上記石膏ボードの小口面に沿って上記小口面の厚み方向中間部まで延出する小口面添着部と、
上記小口面添着部の縁部から曲折して、少なくとも一方の小口面に突き入るように延出する釘部とを備え、
上記小口面添着部を、上記第１の石膏ボードと上記第２の石膏ボードの間に介挿するとともに、上記釘部を、少なくとも一方の小口面に突き入れて構成される、石膏ボードの接続構造。
【請求項９】
壁部を構成する第１の石膏ボードと天井部を構成する第２の石膏ボードの縁部を、接続金具を用いて接続する石膏ボードの接続構造であって、
上記石膏ボード接続用金具は、
上記第１の石膏ボードの裏面側に添着される裏面添着部と、
上記裏面添着部の上縁部から曲折して上記第１の石膏ボードの小口面に沿って上記小口面の厚み方向中間部まで延出する小口面添着部と、
上記小口面添着部の縁部から曲折して上記小口面に突き入るように延出する釘部と、
上記小口面添着部の縁部から上記小口面に沿って延出し、上記天井用石膏ボードの表面に沿って露出する連結部とを備えて構成されており、
上記釘部を上記第１の石膏ボードの上記小口面に突入させる一方、
上記連結部を、上記第２の石膏ボードを貫通するとともに天井下地材にネジ込まれる連結ネジによって、上記第２の石膏ボードの表面に固定する、請求項８に記載の石膏ボードの接続構造。
【請求項１０】
上記連結ネジの頭部とともに、上記連結部が上記第２の石膏ボードの表面に埋め込むように固定されている、請求項９に記載の石膏ボードの接続構造。
【請求項１１】
第１の石膏ボードと、上記第１の石膏ボードに隣接して設置される第２の石膏ボードとを、石膏ボード接続用金具を用いて連結する石膏ボードの接続構造であって、
上記石膏ボード接続用金具は、
上記第１の石膏ボードの裏面側に添着される第１の裏面添着部と、
上記第２の石膏ボードの裏面側に添着される第２の裏面添着部と、
上記第１の裏面添着部及び上記第２の裏面添着部を連結するとともに、これらの縁部から曲折して上記小口面に沿って厚み方向中間部まで延出する小口面添着部と、
上記小口面添着部の縁から曲折して、上記第１の石膏ボードの小口面に突き入れられる第１の釘部と、
上記小口面添着部の縁から曲折して、上記第２の石膏ボードの小口面に突き入れられる第２の釘部とを備えて構成されており、
上記小口面添着部を、上記第１の石膏ボードの小口面と上記第２の石膏ボードの小口面との間に介挿するとともに、上記第１の釘部と上記第２の釘部とを、上記各小口面に突き入れて、上記第１の石膏ボードと上記第２の石膏ボードとが接続されている、石膏ボードの接続構造。
【発明の詳細な説明】
【技術分野】
【０００１】
本願発明は、石膏ボード接続用金具に関する。詳しくは、壁や天井を構成する石膏ボードを互いの縁部において接続する石膏ボード接続用金具及び石膏ボードの接続構造に関する。
【背景技術】
【０００２】
石膏ボード（プラスターボード）は、石膏を主成分とした素材を板状に成形し、特殊な紙材を表面に貼着して構成される。石膏ボードは、安価であるとともに耐久性があり、壁や天井を構成する材料として広く用いられている。また、石膏は硫酸カルシウム水和物であるため多量の結晶水を含んでおり、炎や熱に晒されると、この水分が蒸気として空気中に放出されて熱を吸収する。このため、耐火性が高い。さらに、粉体を固めた多孔質体であるため、断熱性及び遮音性も高い。
【０００３】
一方、石膏ボードは、石膏粉体を固めたものであるため、それ自体にネジや釘を固定するのは困難である。また、接着剤を用いることもできるが、充分な接着強度を確保するのは困難である。通常、間柱等に対して打ち込まれる釘等によって、壁面あるいは天井面を構成するように固定される。また、上記石膏ボードの表面には、壁紙が貼着される。
【先行技術文献】
【特許文献】
【０００４】
【特許文献１】実開平５−４７１３４号公報
【発明の概要】
【発明が解決しようとする課題】
【０００５】
石膏ボードは吸水性があるため、湿度の高い部位に用いると長年の間に変形が生じやすい。たとえば、天井用石膏ボードと壁用石膏ボードとの接合部に、相対変位や隙間が生じやすいという問題があった。上記相対変位や隙間が生じると、表面に貼着した壁紙に凹凸やき裂が生じる。
【０００６】
木造家屋においては、天井用石膏ボードは、天井の野縁等の下地材に連結される一方、上記壁用石膏ボードは、所定間隔で配置された間柱等の下地材に連結される。上記下地材が木材から構成されている場合、長年の間に上記木材の水分が蒸発して、これら部材が収縮する。このため、石膏ボード自体が変形しない場合であっても、上記天井用石膏ボードと上記壁用石膏ボードとの間に隙間が生じやすいという問題があった。
【０００７】
また、上述したように、石膏ボードは、釘やネジを固定することが困難であり、また欠けやすいという欠点がある。このため、壁の隅部において石膏ボード同士を角度をもって連結したり、あるいは連続させて壁面を形成する場合には、上記間柱や野縁等を介して連結する必要がある。ところが、上記間柱は一定間隔で設けられるため、間柱等が存在しない部分が生じる。このため、間柱や石膏ボードに変形が生じると、上記間柱の間で連結した石膏ボード間に隙間や膨れが生じやすい。たとえば、天井と壁との隅部において、上記天井用石膏ボードと上記壁用石膏ボード間に隙間等が生じることがある。
【０００８】
上記問題を回避するために、石膏ボードの接続部分のすべてに下地材を設けることも考えられるが、石膏ボードの接続部分のすべてに下地材を設けるのは手間がかかり、建築費の増加を招くことになる。また、石膏ボードの継ぎ目に接着剤やパテが充填されることもあるが、上述したように石膏ボードは粉体を固めたものであるため、充分な接着強度を確保することができなかった。
【０００９】
特に、上記天井用石膏ボードと上記壁用石膏ボードとが接続される部分においては、重力の作用によって、天井用石膏ボードの縁部が壁用石膏ボードの上縁部に押圧力を作用させる。ところが、下地材のない部分において上記力が作用すると、壁用石膏ボードの上縁部が変形して、上記石膏ボード表面に貼着される壁紙等に悪影響を与えることがある。
【００１０】
本願発明は、上記問題を解決し、石膏ボード同士を縁部において精度高く連結できるとともに、長年にわたって相互の変形や変位を防止できる石膏ボード接続用金具及び接続構造を提供することを課題とする。
【課題を解決するための手段】
【００１１】
本願発明は、第１の石膏ボードと第２の石膏ボードとを互いに接続する石膏ボード接続用金具であって、少なくとも一方の石膏ボードの裏面側に添着される裏面添着部と、上記裏面添着部の縁部から曲折して、上記石膏ボードの小口面に沿って上記小口面の厚み方向中間部まで延出する小口面添着部と、上記小口面添着部の縁部から曲折して、少なくとも一方の小口面に突き入るように延出する釘部とを備えて構成される。
【００１２】
本願発明が適用される石膏ボードの種類は特に限定されることはない。天井用石膏ボード同士、壁用石膏ボード同士、あるいは天井用石膏ボードと壁用石膏ボードを接続するように構成することができる。また、種々の厚みや構成を備える石膏ボードに適用することができる。また、壁用石膏ボードや天井用石膏ボードの種類が異なる場合にも、本願発明に係る石膏ボード接続用金具を適用することができる。
【００１３】
上記裏面添着部は、少なくとも一方の石膏ボードの裏面に添着できるように構成される。なお、接続される双方の石膏ボードの裏面にそれぞれ添着できる複数の裏面添着部を設けることもできる。
【００１４】
上記裏面添着部を設けることにより、上記石膏ボード接続用金具を上記石膏ボードの縁部に精度高く位置決めして案内させ、上記釘部を小口に突き入れることができる。また、接続される石膏ボードの厚み方向の変位を阻止することができる。さらに、上記石膏ボードの割れ等を防止することもできる。
【００１５】
上記釘部は、少なくとも一方の小口面に突き入るように延出させることができる。また、双方の小口面に突き入れることができる複数の釘部を設けることもできる。
【００１６】
壁部を構成する第１の石膏ボードと、天井部を構成する第２の石膏ボードとを互いに接続する石膏ボード接続用金具を構成することができる。上記石膏ボード接続用金具は、上記第１の石膏ボードの裏面側に添着される裏面添着部と、上記裏面添着部の上縁部から曲折して上記第１の石膏ボードの小口面に沿って上記小口面の厚み方向中間部まで延出する小口面添着部と、上記小口面添着部の縁部から曲折して上記小口面に突き入るように延出する釘部と、上記小口面添着部の縁部からさらに上記小口面に沿って延出し、上記第２の石膏ボードの表面に沿って露出する連結部とを備えて構成される。また、上記連結部の先端部に連結ネジが通挿されるネジ用開口部が設けられる。
【００１７】
上記石膏ボード接続用金具は、上記釘部が、壁部を構成する上記第１の石膏ボードの小口面に突入させられる一方、上記連結部が天井部を構成する第２の石膏ボードの表面にネジを用いて固定される。上記連結部は、上記ネジ用開口部に通挿されたネジが、上記天井用石膏ボードを貫通して、上記石膏ボードが固定される下地材、たとえば野縁等にねじ込むように構成するのが望ましい。本願発明に係る石膏ボード接続用金具によって、壁部を構成する第１の石膏ボードと天井部を構成する第２の石膏ボードとを互いに連結すると同時に野縁等の構造材に連結できる。
【００１８】
上記野縁を、天井構成面の周囲に配置することにより、所要の部位において、上記壁部を構成する第１の石膏ボードと天井を構成する第２の石膏ボードとを確実に連結することができる。特に、壁部を構成する石膏ボードは間柱の間の部位において変形が生じることが多いが、本願発明に係る石膏ボード接続用金具を用いて、間柱の間に位置する上縁部を天井用石膏ボード及びこれを保持する野縁等に連結することにより、壁用石膏ボードにおける間柱の間の上縁部を確実に位置決め固定することが可能となり、壁用石膏ボード上縁部の変形を効果的に防止することができる。
【００１９】
また、上記裏面添着部が壁部を構成する第１の石膏ボードの裏側上縁部に添着されるとともに、上記釘部が、上記第１の石膏ボードの小口面から石膏ボード内部に突入させられる。これにより、壁部を構成する第１の石膏ボードに対して、本願発明に係る接続用金具を確実に位置決め固定することができる。そして、上記第１の石膏ボードの上側小口面の上に、天井を構成する第２の石膏ボードの縁部が重なるようにして、これら石膏ボードが接続される。
【００２０】
本願発明では、上記裏側添着部と上記小口面添着部によって、壁用石膏ボードの裏面側角部と小口面とが保護される。しかも、上記小口面添着部と連結部とが、上記壁用石膏ボードの上側小口面と天井用石膏ボートの縁部表面との間に介在させられるとともに、上記連結部が、上記天井用石膏ボードを固定する野縁等に対して上記連結ネジを用いて連結される。すなわち、上記小口面添着部及び上記連結部が、天井用石膏ボードの縁部を下側から支持するようにして、上記野縁に連結される。このため、上記石膏ボード接続用金具を装着した部分において、上記天井用石膏ボードの縁部が上記壁用石膏ボードの小口面に作用する押圧力を緩和することができる。これにより、上記壁用石膏ボードと上記天井用石膏ボードとが当接する部位における石膏ボードの変形や損傷を防止して、天井を構成する第２の石膏ボードと壁部を構成する第１の石膏ボードの間に隙間が生じるのを防止できる。
【００２１】
上記連結部を、上記連結ネジの頭部によって、上記天井部を構成する石膏ボードの表面近傍に埋め込むように構成することができる。
【００２２】
通常、石膏ボードの表面には、壁紙が貼着される。このため、上記連結部やこれを固定するネジが石膏ボードの表面から突出すると、壁紙の表面に凹凸が生じて見栄えが低下する。
【００２３】
本願発明では、上記連結部が、上記連結ネジの頭部で締め付けることにより、上記第２の石膏ボードの表面近傍に埋め込むように変形させられる。石膏ボードは、石膏粉体を固めた多孔質体から構成されるとともに表面に紙材が貼着されており、これを固定する釘やネジの頭部を、表面に埋め込むように取り付けることができる。本願発明では、天井を構成する第２の石膏ボード表面に露出する連結部を、上記連結ネジの頭部をねじ込む際に、この連結ネジの頭部とともに埋め込むように構成している。
【００２４】
上記連結部を第２の石膏ボードに埋め込むように変形させるため、天井を構成する上記第２の石膏ボードの表面に露出する連結部の形態が設定される。たとえば、上記連結部の第１の石膏ボードの表面縁部からの延出長さを、連結ネジの頭部の最大外径と同じ延出長さ〜最大外径より１ｍｍ大きく設定するのが好ましい。上記連結部の第１の石膏ボードの縁部からの延出長さ（露出長さ）が、連結ネジの頭部の最大外径より小さいと、連結ネジを締め付けにくくなる。一方、最大外径より１ｍｍ以上大きいと、連結部を第２の石膏ボード内に埋め込むように変形させて固定するのが困難になる。好ましくは、連結部の第１の石膏ボードの縁部（表面）からの延出長さを、連結ネジの頭部の最大外径＋０．５ｍｍ〜１ｍｍに設定するのが好ましい。これにより、上記連結ネジの頭部や上記連結部が、第２の石膏ボードの表面から突出することがなくなり、壁紙の表面に凹凸が生じることもない。なお、連結ネジの頭部を埋め込む際に、凹部が形成されるが、パテ等を用いて埋めることができる。
【００２５】
接続用金具を石膏ボードに確実に装着するとともに、石膏ボードの変形を効果的に防止するため、上記連結部を、上記小口面添着部の中央部から延出形成するとともに、一対の上記釘部を、上記連結部の両側に所定間隔を開けて延出形成するのが好ましい。
【００２６】
上記第１の石膏ボードへの取り付け作業を容易にするとともに、取付強度を確保するため、一対の上記釘部を、上記連結部の両側に所定間隔を開けて延出形成するのが好ましい。この構成を採用すると、本願発明に係る石膏ボード接続用金具の小口面添着部を、第１の石膏ボードの小口面に対して押圧することにより、上記釘部を上記小口面に容易に突き入れることができる。
【００２７】
上記釘部は、石膏ボードの小口面に、手指で容易に突き入れることができるとともに、小口部分に割れ等が生じない形態に形成される。たとえば、上記釘部を構成する板材の厚みを０．４〜０．７ｍｍに設定した場合、上記釘部の先端角度を１２〜３０度に設定するとともに、壁部を構成する第１の石膏ボード縁部からの延出長さを５〜１０ｍｍに設定するのが好ましい。上記板材の厚みが０．４ｍｍ以下の場合、突き入れるための強度を確保しにくくなる。また、０．７ｍｍ以上の厚みでは、小口に割れ等が生じやすくなる。上記釘部先端の角度が１２度以下の場合、突き入れる際の強度を確保しにくくり、３０度以上では突き入れる際に大きな力を要するため、小口に割れが生じ易くなる。また、延出長さが５ｍｍ以下では、所要の連結強度を確保しにくくなり、１０ｍｍ以上では、手指で突き入れるのが困難になるとともに、小口に割れが生じ易くなる。
【００２８】
本願発明に係る石膏ボード接続用金具は、種々の手法や材料から形成することができる。たとえば、本願発明に係る石膏ボード接続用金具を、板金を曲折して一体形成することができる。これにより、製造工程を削減できるとともに、製造コストを低減させることができる。上記板金を構成する材料も特に限定されることはなく、メッキ鋼板や、真鍮板、ステンレス板等を打ち抜きし、曲げ加工して形成することができる。また、全体を樹脂材料から形成したり、樹脂材料と板金とを組み合わせて構成することもできる。
【００２９】
本願発明に係る石膏ボードの接続構造は、上述した石膏ボード接続用金具によって構成されるものであり、上記釘部を、壁部を構成する第１の石膏ボードの上記小口面に突入させる一方、上記連結部を上記ネジによって天井部を構成する第２の石膏ボードに固定するように構成できる。
【００３０】
上記釘部と上記連結部とによって、上記壁部を構成する第１の石膏ボードと上記天井部を構成する第２の石膏ボードとが連結されるとともに、上記連結部を、連結ネジを用いて上記第２の石膏ボードが固定された野縁等に固定することができる。このため、上記第１の石膏ボードと上記第２の石膏ボードとを確実に位置決めできるとともに、長期間にわたって変形を防止できる石膏ボードの接続構造を得ることができる。
【００３１】
また、上記連結ネジの頭部とともに、上記連結部を上記石膏ボードの表面近傍に埋め込むことにより、上記連結部や上記連結ネジの頭部によって、壁紙表面に凹凸が生じることもなく、これら石膏ボードの連結部近傍に貼着される壁紙の見栄えが低下することもない。
【００３２】
本願発明に係る石膏ボード接続用金具を、壁部を構成する石膏ボード同士の接続に用いるように構成することもできる。すなわち、壁部を構成する第１の石膏ボードと、上記第１の石膏ボードに隣接して設けられて、第１の石膏ボードと同様に壁部を構成する第２の石膏ボードとを、小口面を対接させて接続する石膏ボード接続用金具として構成することもできる。
【００３３】
上記石膏ボード接続用金具は、上記第１の石膏ボードの裏面側に添着される第１の裏面添着部と、上記第２の石膏ボードの裏面側に添着される第２の裏面添着部と、上記第１の裏面添着部及び上記第２の裏面添着部を連結するとともに、これらの縁部から曲折して小口面に沿って上記小口面の厚み方向中間部まで延出する小口面添着部と、上記小口面の厚み方向中間部において上記小口面添着部の縁から曲折して、上記第１の石膏ボードの小口面に突き入る第１の釘部と、上記小口面の厚み方向中間部において上記小口面添着部の縁から曲折して、上記第２の石膏ボードの小口面に突き入る第２の釘部とを備えて構成される。
【００３４】
通常、各石膏ボードの左右側部は、間柱に釘等で固定されることが多いが、上下に石膏ボードを接続する場合、間柱の間の連結部分に変位や隙間が生じやすい。このため、接着剤やパテ等が接続部分に充填されるが、充分な効果を期待することができない。本願発明に係る石膏ボード接続用金具を用いることにより、上記石膏ボード間の隙間や変位を防止することができる。
【００３５】
上記第１の裏面添着部と上記第２の裏面添着部を設けることにより、連結する石膏ボードを精度高く位置決めして、上記釘部を上記小口面に突き入れることができる。
【００３６】
また、上記上下の裏面添着部と上記第１の釘部及び第２の釘部によって、上下に連結される石膏ボードの上下縁部が、位置決め固定される。これにより、接続される石膏ボード縁部の厚み方向の相対変位を阻止できる。
【００３７】
上記釘部の形状等は、上述した壁部を構成する石膏ボードと天井部を構成する石膏ボードとを接続する石膏ボード接続用金具と同様であるので説明は省略する。
【発明の効果】
【００３８】
連結される石膏を位置決めして確実に連結することができるとともに、変形を防止してこれら石膏ボード間の隙間の発生を防止でき、さらに、接続部近傍に貼着される壁紙の見栄えが低下することがない、石膏ボード接続用金具を提供できる。
【図面の簡単な説明】
【００３９】
【図１】本願発明に係る石膏ボード接続用金具の全体斜視図である。
【図２】図１に示す石膏ボード接続用金具の正面図である。
【図３】図１に示す石膏ボード接続用金具の平面図である。
【図４】図１に示す石膏ボード接続用金具の右側面図である。
【図５】図１に示す石膏ボード接続用金具を用いた接続構造の分解斜視図である。
【図６】図１に示す石膏ボード接続用金具の取付状態を示す断面図であり、図１におけるＶＩ−ＶＩ線に沿う断面を示す図である。
【図７】図６に示す石膏ボード接続用金具に、連結ネジを締め付けている状態を示す断面図である。
【図８】図７に示す連結ネジの締め付けを終えた状態を示す断面図である。
【図９】第２の実施形態に係る石膏ボード接続用金具の全体斜視図である。
【図１０】図９に示す石膏ボード接続用金具の正面図である。
【図１１】図９に示す石膏ボード接続用金具の平面図である。
【図１２】図９に示す石膏ボード接続用金具の右側面図である。
【図１３】図９に示す石膏ボード接続用金具の底面図である。
【図１４】図９に示す石膏ボード接続用金具の背面図である。
【図１５】図９に示す石膏ボード接続用金具を用いた接続構造の分解斜視図である。
【図１６】図９に示す石膏ボード接続用金具の取付状態を示す断面図であり、図１０におけるＸＶＩーＸＶＩ線に沿う断面に対応する図である。
【図１７】図９に示す石膏ボード接続用金具を用いた接続構造の断面図であり、図１０におけるＸＶＩＩーＸＶＩＩ線に沿う断面に対応する図である。
【図１８】本願発明に係る石膏ボード接続用金具で、複数の石膏ボードを接続した状態を示す図であり、裏面側から接続状態を見た図である。
【発明を実施するための形態】
【００４０】
図１から図９に、本願発明に係る石膏ボード接続用金具の第１の実施形態を示す。なお、本実施形態は、同じ厚みの天井を構成する第１の石膏ボードと壁部を構成する第２の石膏ボードとを接続する構造に本願発明に係る石膏ボード接続用金具を適用したものである。
【００４１】
図１及び図５に示すように、石膏ボード接続用金具１は、第１の石膏ボード１０の側面に添着される裏面添着部２と、上記裏面添着部２の上縁部から曲折して上記第１の石膏ボードの小口面１０ａに沿って上記小口面１０ａの厚み方向中間部まで延出する小口面添着部３と、上記小口面添着部３の縁部から曲折して上記小口面１０ａに突き入るように延出する一対の釘部４，５と、上記小口面添着部３の縁部８から上記小口面１０ａに沿って延出し、上記第２の石膏ボードの表面に沿って露出する連結部６とを備えて構成される。上記連結部６の先端部には、連結ネジ１３が通挿されるネジ用開口部７が設けられている。
【００４２】
上記石膏ボード接続用金具は、０．５ｍｍの厚みのステンレス鋼板を所定の形状に打ち抜いて、曲折加工することにより一体形成されている。なお、上記石膏ボード接続用金具の厚みは、特に限定されることはなく、石膏ボードの厚み等に応じて設定できる。
【００４３】
上記裏面添着部２は、横３８ｍｍ、縦２０ｍｍの矩形状に形成されている。上記小口面添着部３は、上記裏面添着部２の上縁から直角に折り曲げて形成されており、横３８ｍｍ、縦９ｍｍの矩形状に形成されている。上記裏面添着部の縦寸法（小口面の厚み方向寸法）は、接続する石膏ボードの小口面の中央部において、上記釘部４，５が位置するように設定するのが好ましい。
【００４４】
上記釘部４，５は、上記小口面添着部３の縁部から直角方向に曲折形成されるとともに、正面視略３角形状に形成されている。上記連結部６は、上記小口面添着部３の中央部から小口面に沿うように延出形成されており、上記第１の石膏ボード１０の縁部から延出するとともに、上記第２の石膏ボード１１の表面に沿って室内側に露出するように形成されている。上記露出部分の延出長さは、上記ネジ用開口部７に連結ネジを通挿して締め付けることができる長さに設定されている。また、上記連結部６の壁用石膏ボード１０から延出する部分を、上記連結ネジ１３の頭部を用いて、第２の石膏ボート１１の表面に埋め込むように変形させることができるように構成されている。
【００４５】
図１８は、裏側（室内側と反対側）から見た石膏ボード１０，１１の取付状態を示したものである。屋内の壁面には、第１の石膏ボード１０が、上下方向に延びる間柱１７を介して取付られる。上記間柱１７の上部に掛け渡されるようにして野縁１２が設けられている。
【００４６】
図５及び図６に示すように、本実施形態に係る上記石膏ボード接続用金具１は、壁部を構成する上記第１の石膏ボード１０の裏面側に裏面添着部２を添着するようにして、上記釘部４，５を壁用石膏ボード１０の上記小口面１０ａに突入させる。その後、天井部を構成する第２の石膏ボード１１を上記第１の石膏ボード１０の小口面１０ａに重ねるように位置決めする。上記第２の石膏ボード１１の上側には野縁１２が設けられており、図７に示すように、上記第２の石膏ボード１１の縁部が、上記第１の石膏ボード１０の小口面１０ａと、上記野縁１２の下面に挟まれるように位置決めされる。
【００４７】
図１８に示すように、本実施形態に係る石膏ボード接続用金具１は、上記間柱１７の間の幅方向中央部において、上記壁用石膏ボード１０の上縁部と上記天井用石膏ボード１１を接続している。
【００４８】
図７に示すように、上記位置決めを行った後、上記ネジ用開口部７に連結ネジ１３をねじ込む。本実施形態に係る連結ネジ１３は、首下部１６が曲線に形成されている。また、上記連結ネジ１３は、ネジ部１４が、少なくとも上記野縁１２に螺合できる長さに設定されている。
【００４９】
図８に示すように、上記連結ネジ１３を締め付けていくと、上記連結ネジ１３の先端部が上記野縁１２に食い込むとともに、上記連結部６の第２の石膏ボード１１の表面に露出する部分が、上記連結ネジ１３の首下部１６によって、上記第２の石膏ボード１１内に埋め込むように変形させられる。このため、上記第２の石膏ボード１１の表面に、連結ネジ１３の頭部１５や、連結部６が突き出ることはない。上記連結部６を第２の石膏ボード１１内に埋め込むために、上記連結部６の第２の石膏ボード１１の表面に露出する部分は、上記連結ネジ１３を締め付けることができる最小限の長さに設定するのが好ましい。たとえば、上記連結ネジ１３の頭部の最大外径程度の延出長さに設定するのが好ましい。また、上記連結部６の幅寸法も上記連結ネジ１３の最大外径程度の寸法に設定するのが好ましい。たとえば、上記連結部６の第２の石膏ボード１１の表面（室内）に露出する部分の延出長さを、上記連結ネジ１３の頭部の最大外径−０．５ｍｍ〜＋１ｍｍの範囲に設定するのが好ましい。上記延出長さが連結ネジ１３の最大外径−０．５ｍｍ以下の場合、連結強度を確保することができない。一方、上記延出長さが連結ネジ１３の最大外径＋１ｍｍを越えると、連結部を上記第２の石膏ボード１１内に埋め込みにくくなる。なお、上記延出長さは、石膏ボード接続用金具１の厚み、連結ネジ１３の寸法、及び上記連結部６の寸法等によって埋め込むことができるように設定すればよい。
【００５０】
上記第１の石膏ボード１０と上記第２の石膏ボード１１の接続構造においては、裏面添着部２及び小口面添着部３が、壁用石膏ボード１０の上縁裏側に添着されるとともに、上記釘部４，５が、第１の石膏ボード内に食い込んでいる。一方、上記連結部６が、上記連結ネジ１３によって、上記第２の石膏ボード１１及び野縁１２に連結される。このため、上記第１の石膏ボード１０と第２の石膏ボード１１とが、上記野縁１２に位置決めされた状態で固定される。この結果、長期間に渡って、上記第１の石膏ボード１０と上記第２の石膏ボード１１を所定位置に保持することが可能となる。
【００５１】
しかも、連結部６の第２の石膏ボード１１の表面に沿って露出する部分は、連結ネジ１３とともに、第２の石膏ボード１１内に埋め込まれる。このため、第１の石膏ボード１０と第２の石膏ボード１１の室内側の隅部を平坦に仕上げることが可能となり、クロスを見栄え良く貼着することができる。
【００５２】
図９から図１８に本願発明の第２の実施形態を示す。なお、石膏ボード接続用金具を構成する材料及び製造手法は、第１の実施形態と同様であるので説明は省略する。
【００５３】
図１５に示すように、第２の実施形態に係る石膏ボード接続用金具１０１は、第１の石膏ボード１１０ａと、上記第１の石膏ボード１１０ａに対して下方に隣接して設置される第２の石膏ボード１１０ｂとを、小口面１００ａ，１００ｂを対接させて接続する構造に適用される。
【００５４】
図９及び図１５に示すように、上記石膏ボード接続用金具１０１は、上記第１の石膏ボード１１０ａの裏面側に添着される第１の裏面添着部１０２ａ，１０２ｂと、上記第２の石膏ボード１１０ｂの裏面側に添着される第２の裏面添着部１０２ｃと、上記第１の裏面添着部１０２ａ，１０２ｂ及び上記第２の裏面添着部１０２ｃを連結するとともに、これらの縁部から曲折して対接する小口面１００ａ，１００ｂに沿って上記小口面の厚み方向中間部まで延出する小口面添着部１０３と、上記小口面１０３の中間部において上記小口面添着部１０３の縁から曲折して、上記第１の石膏ボード１１０ａの小口面１００ａに突き入る第１の釘部１０４ａ，１０４ｂと、上記小口面の厚み方向中間部において上記小口面添着部１０３の縁から曲折して、上記第２の石膏ボード１１０ｂの小口面１００ｂに突き入る第２の釘部１０５ａ，１０５ｂとを備えて構成される。
【００５５】
本実施形態では、全体を１枚の板金から折り曲げ加工して形成しているため、上記第１の裏面添着部１０２ａ，１０２ｂを両側部に一対形成するとともに、一の上記第２の裏面添着部１０２ｃを中間部に形成している。なお、上記第１の裏面添着部１０２ａ，１０２ｂと上記第２の裏面添着部１０２ｃとを逆の位置に形成し、両側に一対の第２の裏面添着部を形成するとともに、中間部に第２の裏面添着部を形成してもよい。また、各裏面添着部を矩形状に形成しているが、台形等の他の形態を採用することもできる。
【００５６】
また、上記第１の釘部１０４ａ，１０４ｂを両側部に、第２の釘部１０５ａ，１０５ｂを中央部に形成しているが、これらを設ける位置を逆に構成することもできる。
【００５７】
図１６に示すように、本実施形態に係る石膏ボード接続用金具１０１は、上記第１の裏面添着部１０２ａ，１０２ｂが第１の石膏ボード１１０ａの縁部裏面に添着されるとともに、第２の裏面添着部１０２ａが第２の石膏ボード１１０ｂの縁部裏面に添着される。また、上記第１の釘部１０４ａ，１０４ｂが第１の石膏ボード１１０ａの小口面１００ａに突入する一方、第２の釘部１０５ａ，１０５ｂが第２の石膏ボード１１０ｂの小口面１００ｂに突入する。
【００５８】
上記釘部１０４ａ，１０４ｂ，１０５ａ，１０５ｂの形態は、第１の実施形態と同様であるので説明は省略する。
【００５９】
上記構成によって、上下に接続される石膏ボードの縁部を精度高く位置決めして固定することが可能となり、変位や隙間が発生するのを長期間にわたって防止することができる。
【産業上の利用可能性】
【００６０】
壁用石膏ボードと天井用石膏ボードを、確実に接続できるとともに、クロスを見栄え良く貼着することができる。
【符号の説明】
【００６１】
１  石膏ボード接続用金具
２  裏面添着部
３  小口面添着部
４  釘部
５  釘部
６  連結部
７  ネジ用開口部
１０  壁用石膏ボード
１１  天井用石膏ボード
１３  連結ネジ
１０１    石膏ボード接続用金具
１０２ａ  第１の裏面添着部
１０２ｂ  第１の裏面添着部
１０２ｃ  第２の裏面添着部
１０３    小口面添着部
１０４ａ  第１の釘部
１０４ｂ  第１の釘部
１０５ａ  第２の釘部
１０５ｂ  第２の釘部
１１０ａ  第１の石膏ボード
１１０ｂ  第２の石膏ボード
【図１】
2017110792.tif 000003
【図２】
2017110792.tif 000004
【図３】
2017110792.tif 000005
【図４】
2017110792.tif 000006
【図５】
2017110792.tif 000007
【図６】
2017110792.tif 000008
【図７】
2017110792.tif 000009
【図８】
2017110792.tif 000010
【図９】
2017110792.tif 000011
【図１０】
2017110792.tif 000012
【図１１】
2017110792.tif 000013
【図１２】
2017110792.tif 000014
【図１３】
2017110792.tif 000015
【図１４】
2017110792.tif 000016
【図１５】
2017110792.tif 000017
【図１６】
2017110792.tif 000018
【図１７】
2017110792.tif 000019
【図１８】
2017110792.tif 000020